(57)【要約】【課題】放送休止中であることを視聴者に認識させることができる放送用中継システムを提供すること。【解決手段】放送用中継システム１は、放送用信号に対して周波数変換を含む所定処理を行う放送用中継システム１であって、放送用信号又は当該放送用信号に基づいて生成された中間信号の出力遮断制御を行うＲＦスケルチ３ａ又はデジタルスケルチ５と、ＲＦスケルチ３ａ又はデジタルスケルチ５が放送用信号又は中間信号の出力遮断を行っている場合に所定の放送用信号を送信する放送用信号発生器９とを備える。【選択図】図１
2010093344.tif 000002
【特許請求の範囲】
【請求項１】
放送用信号に対して周波数変換を含む所定処理を行う放送用中継システムであって、
前記放送用信号又は当該放送用信号に基づいて生成された中間信号の出力遮断制御を行うスケルチと、
前記スケルチが前記放送用信号又は前記中間信号の出力遮断を行っている場合に所定信号を送信する送信手段と、
を備えることを特徴とする放送用中継システム。
【請求項２】
前記送信手段は、
前記放送用信号を識別するための識別情報を取得する識別情報取得手段を備え、当該識別情報取得手段が取得した識別情報を前記所定信号に含めて送信すること、
を特徴とする請求項１に記載の放送用中継システム。
【請求項３】
前記スケルチに前記識別情報が設定されている場合において、
前記識別情報取得手段は、前記識別情報を前記スケルチから取得すること、
を特徴とする請求項２に記載の放送用中継システム。
【請求項４】
複数の前記スケルチを備え、
前記送信手段は、
少なくとも１以上の前記スケルチが前記放送用信号又は前記中間信号の出力遮断を行っている場合に前記所定信号を送信すること、
を特徴とする請求項１から３のいずれか一項に記載の放送用中継システム。
【請求項５】
前記送信手段は、前記所定信号の送信を行った場合には、当該送信を行った旨を報知するための信号を、所定の外部機器に送信すること、
を特徴とする請求項１から４のいずれか一項に記載の放送用中継システム。
【発明の詳細な説明】
【技術分野】
【０００１】
本発明は、放送用中継システムに関する。
【背景技術】
【０００２】
従来からＴＶ放送の放送システムにおいては、放送電波を山間部等の難視聴地域に伝送するために放送用中継局装置が利用されている。この放送用中継局装置は、山の頂上付近に建てられた中継所の内部に設置され、放送局から送信された放送波をアンテナで受信し、ここで信号の増幅やノイズの除去などを行って、再び送信信号を構成してこれを放送波として目的の難視聴地域に向けて送信するものである。
【０００３】
図５は、従来の放送用中継局装置の構成を示したブロック図である。放送用中継局装置１００は、受信アンテナ１０１、受信変換部１０２、送信変換部１０３、ＰＡ（Ｐｏｗｅｒ  Ａｍｐｌｉｆｉｅｒ）１０４、及び送信アンテナ１０５を備えて構成されていた。受信アンテナ１０１は、図示しない放送局から送信された放送波を受信して放送用信号として受信変換部１０２に出力する。受信変換部１０２は、放送用信号を所定の中間信号に変換し、中間信号に対するノイズ除去や信号増幅を行った後、この中間信号を送信変換部１０３に出力する。送信変換部１０３は、中間信号を目的の周波数の放送用信号に変換し、この放送用信号をＰＡ１０４に出力する。ＰＡ１０４は、放送用信号を増幅して送信アンテナ１０５に出力し、送信アンテナ１０５は放送用信号を放送波として送信する。
【０００４】
ここで、受信変換部１０２及び送信変換部１０３の各々には、スケルチ１０２ａ、１０３ａが内蔵されていた。これらスケルチ１０２ａ、１０３ａは、放送用中継局装置１００から出力されるノイズを抑制する。すなわち、受信変換部１０２や送信変換部１０３の内部には、図示しないＡＧＣ（Ａｕｔｏｍａｔｉｃ  Ｇａｉｎ  Ｃｏｎｔｒｏｌ）が設けられており、このＡＧＣを用いて利得を自動制御することで、受信変換部１０２や送信変換部１０３からの出力レベルを所定レベルに維持する。このため、放送休止中等の理由によって放送波がない時には、受信変換部１０２や送信変換部１０３に対する入力レベルが低いものと判定してノイズを最大利得で増幅してしまい、これら受信変換部１０２や送信変換部１０３からノイズが出力され、不要放射となってしまう。この問題を防止するため、スケルチ１０２ａ、１０３ａにより、受信変換部１０２や送信変換部１０３に対する入力レベル（ＲＦレベル）を判定し、当該入力レベルが所定レベル（以下「スケルチレベル」）以下である場合には、ＡＧＣの増幅機能をＯＦＦとすること等により、放送用信号の出力を遮断していた（例えば、特許文献１参照）。
【０００５】
【特許文献１】特開平１０−１２１０９号公報
【発明の開示】
【発明が解決しようとする課題】
【０００６】
しかしながら、従来の放送用中継局装置１００においては、スケルチ１０２ａ、１０３ａにより放送用信号の出力が遮断された場合、視聴者側のＴＶ受像機には何も映像が表示されない状態となっていた。このため視聴者は、放送休止中であるのか、あるいは放送事故が発生しているのかを区別することができず、混乱を招く可能性があった。
【０００７】
本発明は、上記に鑑みてなされたものであって、放送休止中であることを視聴者に認識させることができる放送用中継システムを提供することを目的とする。
【課題を解決するための手段】
【０００８】
上述した課題を解決し、目的を達成するために、請求項１に記載の放送用中継システムは、放送用信号に対して周波数変換を含む所定処理を行う放送用中継システムであって、前記放送用信号又は当該放送用信号に基づいて生成された中間信号の出力遮断制御を行うスケルチと、前記スケルチが前記放送用信号又は前記中間信号の出力遮断を行っている場合に所定信号を送信する送信手段とを備えることを特徴とする。
【０００９】
また、請求項２に記載の放送用中継システムは、請求項１に記載の放送用中継システムにおいて、前記送信手段は、前記放送用信号を識別するための識別情報を取得する識別情報取得手段を備え、当該識別情報取得手段が取得した識別情報を前記所定信号に含めて送信することを特徴とする。
【００１０】
また、請求項３に記載の放送用中継システムは、請求項２に記載の放送用中継システムにおいて、前記スケルチに前記識別情報が設定されている場合において、前記識別情報取得手段は、前記識別情報を前記スケルチから取得することを特徴とする。
【００１１】
また、請求項４に記載の放送用中継システムは、請求項１から３のいずれか一項に記載の放送用中継システムにおいて、複数の前記スケルチを備え、前記送信手段は、少なくとも１以上の前記スケルチが前記放送用信号又は前記中間信号の出力遮断を行っている場合に前記所定信号を送信することを特徴とする。
【００１２】
また、請求項５に記載の放送用中継システムは、請求項１から４のいずれか一項に記載の放送用中継システムにおいて、前記送信手段は、前記所定信号の送信を行った場合には、当該送信を行った旨を報知するための信号を、所定の外部機器に送信することを特徴とする。
【発明の効果】
【００１３】
請求項１に記載の本発明によれば、スケルチが放送用信号又は中間信号の出力遮断を行っている場合、送信手段が所定信号を送信するので、放送休止中であることを視聴者に認識させることができる。
【００１４】
また、請求項２に記載の本発明によれば、識別情報取得手段が取得した識別情報を所定信号に含めて送信するので、放送用信号の受信端末に設定されている識別情報と、当該受信端末が受信した放送用信号に多重されている識別情報とが一致している場合にのみ、当該受信した放送用信号を当該受信端末が出力可能である場合であっても、送信手段が送信した所定信号を受信端末にて出力させることができる。
【００１５】
また、請求項３に記載の本発明によれば、識別情報取得手段は、識別情報をスケルチから取得するので、放送用信号に多重された識別情報をスケルチを介して容易に取得することができる。
【００１６】
また、請求項４に記載の本発明によれば、送信手段は、少なくとも１以上のスケルチが放送用信号又は中間信号の出力遮断を行っている場合に所定信号を送信するので、放送休止中であることを確実に視聴者に認識させることができる。
【００１７】
また、請求項５に記載の本発明によれば、所定信号の送信を行った場合には、当該送信を行った旨を報知するための信号を、所定の外部機器に送信するので、この送信事実を外部に報知することができ、外部の監視者は放送用信号の出力状況を容易かつ確実に把握することができる。
【発明を実施するための最良の形態】
【００１８】
以下に添付図面を参照して、この発明に係る放送用中継システムの実施の形態を詳細に説明する。まず、〔Ｉ〕実施の形態の基本的概念を説明した後、〔II〕実施の形態の具体的内容について順次説明し、最後に、〔III〕実施の形態に対する変形例について説明する。ただし、実施の形態によって本発明が限定されるものではない。
【００１９】
〔Ｉ〕実施の形態の基本的概念
まず、実施の形態の基本的概念について説明する。実施の形態に係る放送用中継システムは、ＴＶ放送の放送システムにおいて、放送電波を入力信号として受信し、これに周波数変換を含む処理を施して出力信号を生成する機能を備えるものである。この種の放送用中継システムにおいて、入力信号は、発振器からの所定周波数の信号と混合され、その処理のために一旦中間信号に変換される。この状態でフィルタ回路によって信号ノイズの除去が施され、必要な信号増幅などが行われる。これらの処理を経た中間信号は、入力信号と同じかあるいは任意の周波数に、再度変換され出力される。
【００２０】
この放送用中継システムは、ＴＶ放送の放送システムにおいて、放送電波を山間部等の難視聴地域に中継するためのものであり、特に、本発明に係るものは、放送用信号を所定周波数の中間信号に変換した後、該中間信号を所定周波数の放送用信号に変換する信号変換機能を備えた放送用中継システムである。実施の形態が適用される放送用中継システムは、その形式として、放送電波を受信する受信所と難視聴地域に電波を送信する送信所とが分離され光ファイバーなどの伝送路によって接続された分離型か、受信機と送信機が一箇所にある非分離型かを問わない。以下の実施の形態では、この放送電波の中継用の放送用中継システムを例に挙げて説明する。なお、放送用中継システムの構成としては、分波方法によって、ＳＣＰＡ（Ｓｉｎｇｌｅ  Ｃｈａｎｎｅｌ  Ｐｏｗｅｒ  Ａｍｐｌｉｆｉｅｒ）とＭＣＰＡ（Ｍｕｌｔｉ  Ｃｈａｎｎｅｌ  Ｐｏｗｅｒ  Ａｍｐｌｉｆｉｅｒ）に大別でき、本発明はいずれの構成にも同様に適用できるが、以下ではＳＣＰＡの例について説明する。
【００２１】
この他、本発明に係る放送用中継システムの代表的な例としては、共聴用レベルコントローラがある。共聴用レベルコントローラは、共同住宅における受信側装置として備えられ、各受信チャンネル毎の利得ばらつきを調整して安定した出力信号を、同軸ケーブルなどを介して各住戸に出力するためのものである。共聴用レベルコントローラにおいても、入力信号としての放送電波は、各チャンネル毎に分波された後、ＳＡＷフィルタ（弾性表面波フィルタ）などで目的外の周波数成分を除去するために、一旦、発振器からの所定周波数信号と混合されて、所定の中間周波数信号に変換される。
【００２２】
〔II〕実施の形態の具体的内容
次に、実施の形態の具体的内容について説明する。
【００２３】
（放送用中継システムの構成）
まず、本実施の形態に係る放送用中継システムの構成を説明する。図１は、放送用中継システムの構成を示すブロック図である。この放送用中継システム１は、受信アンテナ２、受信変換部３、送信変換部４、デジタルスケルチ５、切替部６、ＰＡ７、送信アンテナ８、及び放送用信号発生器９を備えている。
【００２４】
（放送用中継システムの構成−受信アンテナ、ＰＡ、送信アンテナ）
受信アンテナ２は、放送局から送信された放送波を受信して放送用信号として受信変換部３に出力する。ＰＡ７は、放送用信号を増幅して送信アンテナ８に出力する増幅手段である。送信アンテナ８は、放送用信号を放送波として送信する。なお、これら受信アンテナ２、ＰＡ７、及び送信アンテナ８については、従来と同様に構成できるので、その詳細な説明は省略する。
【００２５】
（放送用中継システムの構成−受信変換部、送信変換部）
受信変換部３は、放送用信号を所定の中間信号に変換する中間信号変換手段である。送信変換部４は、中間信号を目的の周波数の放送用信号に変換する放送用信号変換手段である。これら受信変換部３や送信変換部４においては、中間信号に対するノイズ除去や信号増幅が行われる。また、受信変換部３は、ＲＦスケルチ３ａを備えている。ＲＦスケルチ３ａは、対象の受信変換部３に対する入力信号が確認できない場合、すなわち無信号と判断される信号レベルの場合、当該受信変換部３において増幅された中間信号が送信変換部４側へ出力されないように出力遮断制御を行うためのもので、特許請求の範囲におけるスケルチに対応する。このＲＦスケルチ３ａは所定の入出力インターフェース（以下「入出力Ｉ／Ｆ」）（図示省略）を介して切替部６と接続され、当該切替部６との間で通信を行なう。
【００２６】
（放送用中継システムの構成−デジタルスケルチ）
次いで、デジタルスケルチ５について説明する。このデジタルスケルチ５は、放送用信号又は当該放送用信号に基づいて生成された中間信号の出力遮断制御を行うためのもので、特許請求の範囲におけるスケルチに対応する。図２は、図１のデジタルスケルチ５の構成を示すブロック図である。デジタルスケルチ５は、入力端子５ａ、出力端子５ｂ、復調部５ｃ、ＮＩＴ取得部５ｄ、ＮＩＴ判定部５ｅ、スケルチ制御部５ｆ、入出力Ｉ／Ｆ５ｇ、チャンネル表示器５ｈ、チャンネル設定ＳＷ５ｉ、同期表示灯５ｊ、ＮＩＴ受信表示灯５ｋ、ＮＩＴ設定ＳＷ５ｍ、スケルチ表示灯５ｎ、及び制御スイッチ５ｐを備えている。
【００２７】
入力端子５ａは、前段機器（ここでは送信変換部４)からの放送用信号の入力を受け付ける入力手段である。出力端子５ｂは、後段機器（ここでは切替部６）へ放送用信号を出力する出力手段である。復調部５ｃは、入力端子５ａから出力端子５ｂに至る線路から放送用信号を取得し、当該取得した放送用信号を復調してＮＩＴ取得部５ｄに出力する。
【００２８】
ＮＩＴ取得部５ｄは、放送用信号に多重されたＮＩＴ（Ｎｅｔｗｏｒｋ  Ｉｎｆｏｒｍａｔｉｏｎ  Ｔａｂｌｅ）を取得してＮＩＴ判定部５ｅに出力するＮＩＴ取得手段である。ＮＩＴは、放送用中継システム１によって中継を行うべき放送用信号を識別するための識別情報である。ただし、識別情報の具体的種類は任意であり、ＮＩＴに代えて、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、ＣＤＴ（Ｃｏｍｍｏｎ  Ｄａｔａ  Ｔａｂｌｅ）を含む、任意の情報を用いることができる。
【００２９】
ＮＩＴ判定部５ｅは、入力端子５ａを介して入力された放送用信号が、当該放送用中継システム１によって中継を行うべき放送用信号であるか否かを判定するためのものである。例えば、ＮＩＴ判定部５ｅは、当該放送用中継システム１によって中継を行うべき放送用信号のＮＩＴを予め保持しており、このＮＩＴとＮＩＴ取得部５ｄにて取得されたＮＩＴとが相互に一致するか否かを判定することで、放送用信号の適否を判定する。これら２つのＮＩＴが相互に一致する場合におけるＮＩＴ判定部５ｅの判定結果を「ＯＫ」、相互に一致しない場合におけるＮＩＴ判定部５ｅの判定結果を「ＮＧ」と称する。なお、ＮＩＴ判定結果としては、ＮＩＴが取得できなかった場合（ＮＩＴ無）や、ＮＩＴに何らかのエラーがあった場合（ＮＩＴエラー）が含まれえるが、これらいずれかの場合には、例えばＮＩＴ一致として判定する。
【００３０】
スケルチ制御部５ｆは、出力遮断制御を行うための所定条件が充足したか否か判定し、当該所定条件が充足した場合に出力遮断制御を行う。所定条件の具体的な内容は任意で、例えば、「ＮＩＴ判定部５ｅの判定結果がＮＧであること」を所定条件とし、この条件が充足した場合に、出力遮断制御を行うようにすることができる。
【００３１】
入出力Ｉ／Ｆ５ｇは、外部機器との間で有線又は無線により通信を行うための入出力手段である。例えば、外部機器としては、放送用信号発生器９及び遠方監視装置が想定される。遠方監視装置とは、例えば放送局等に配置される装置であり、山間部に設置された放送用中継システム１を直接操作することが困難な場合に、所定形式の制御信号を放送用中継システム１に送信することで、この放送用中継システム１を遠隔操作するための装置である。
【００３２】
チャンネル表示器５ｈは、当該放送用中継システム１によって中継を行うべき放送用信号のチャンネル番号を表示する表示手段であり、例えば、７セグメント表示器によって構成される。チャンネル設定ＳＷ５ｉは、中継を行うべき放送用信号のチャンネル番号を設定するための入力スイッチである。同期表示灯５ｊは、放送用信号との同期状態を示す表示手段、ＮＩＴ受信表示灯５ｋは、放送用信号からのＮＩＴの取得状態を示す表示手段、スケルチ表示灯５ｎは、出力遮断制御の状態を示す表示手段であり、これらは例えばＬＥＤ（Ｌｉｇｈｔ  Ｅｍｉｔｔｉｎｇ  Ｄｉｏｄｅ）を用いて構成される。ＮＩＴ設定ＳＷ５ｍは、中継を行うべき放送用信号のＮＩＴを設定するための入力スイッチである。
【００３３】
制御スイッチ５ｐは、出力遮断制御を自動的に解除することで、放送用信号をいわゆるスルー状態で出力端子５ｂに出力させるための指示手段であり、この制御スイッチ５ｐが押圧されると、当該制御スイッチ５ｐが再び押圧されるまで押圧状態が機械的に保持され、押圧状態が保持されている間は、所定条件の充足の有無に関わらず、出力遮断制御が解除される。
【００３４】
（放送用中継システムの構成−切替部）
図１に戻り、切替部６は、ＰＡ７に出力する放送用信号の切替を行う切替手段である。具体的には、切替部６は、例えばＯＲ回路１０を介してＲＦスケルチ３ａ及びデジタルスケルチ５と接続され、ＯＲ回路１０からの出力に基づいて、デジタルスケルチ５から出力された放送用信号と放送用信号発生器９から出力された放送用信号とのうち、いずれか一方の放送用信号を選択的にＰＡ７に出力する。ここでは、ＲＦスケルチ３ａ及びデジタルスケルチ５は、出力遮断制御を行っている間、ＯＲ回路１０に対してＯＮ出力を行うものとする。ＯＲ回路１０は、これらＲＦスケルチ３ａの出力及びデジタルスケルチ５の出力の論理和をとり、いずれか一方又は両方の出力がＯＮ出力である場合には切替部６にＯＮ出力を行い、両方の出力がＯＮ出力でない場合には切替部６にＯＦＦ出力を行う。切替部６は、ＯＲ回路１０の出力がＯＮ出力でない場合には、デジタルスケルチ５をＰＡ７に接続し、ＯＲ回路１０の出力がＯＮ出力である場合には、放送用信号発生器９をＰＡ７に接続する。
【００３５】
（放送用中継システムの構成−放送用信号発生器）
放送用信号発生器９は、所定の放送用信号を送信する送信手段である。放送用信号発生器９が送信する放送用信号の具体的な内容は任意であり、例えば放送休止中である旨を示すテロップや映像等の情報を放送用信号として送信する。
【００３６】
また、放送用信号発生器９は識別情報取得部９ａを備えている。識別情報取得部９ａは、放送用信号を識別するための識別情報を取得する識別情報取得手段である。識別情報取得部９ａが取得する識別情報の内容及び当該識別情報の取得先は任意であり、例えばＮＩＴ判定部５ｅが保持しているＮＩＴを識別情報として取得することができる。放送用信号発生器９は、識別情報取得部９ａが取得した識別情報を、所定の放送用信号に多重して送信する。これにより、放送用信号の受信端末（例えばＴＶ受像機）に設定されている識別情報と、当該受信端末が受信した放送用信号に多重されている識別情報とが一致している場合にのみ、当該受信した放送用信号を当該受信端末が出力可能である場合であっても、放送用信号発生器９が送信した所定の放送用信号を受信端末にて出力させることができる。
【００３７】
（処理）
次に、この放送用中継システム１において行われる各種処理について説明する。この処理は、チャンネル及びＮＩＴを放送用中継システム１に設定するための設定処理、及び放送用信号の中継を行うための中継処理に大別される。
【００３８】
（処理−設定処理）
最初に、設定処理について説明する。図３は設定処理のフローチャートである。この設定処理は、中継処理に先立つ任意のタイミングで開始されるもので、入力端子５ａに放送用信号を入力している状態で、操作者がチャンネル設定ＳＷ５ｉを押すことにより開始される。チャンネル設定ＳＷ５ｉが押されると、復調部５ｃにて復調された放送用信号からＮＩＴ取得部５ｄにて取得されたＮＩＴと、放送用信号の周波数に基づいて所定方法で特定されたチャンネル番号とが、チャンネル表示部に表示される。例えば、ＮＩＴとチャンネル番号は交互に表示され、ＮＩＴの桁数がチャンネル表示部の表示桁数より多い場合には、ＮＩＴは複数に分割して順次表示される（ＳＡ１）。操作者は、これらチャンネル番号及びＮＩＴの表示内容を確認し、希望波のチャンネル番号及びＮＩＴの内容に一致している場合には、ＮＩＴ設定ＳＷ５ｍを押すことで、ＮＩＴ設定を指示する（ＳＡ２）。この指示を受けたＮＩＴ判定部５ｅは（ＳＡ２、Ｙｅｓ）、その時点においてチャンネル表示部に表示していたＮＩＴを内部に保持する（ＳＡ３）。また、この際、ＮＩＴの到来タイミングと、ＮＩＴの取得／判定タイミングを合致させる同期処理を行う。
【００３９】
さらに、放送用信号発生器９の識別情報取得部９ａは、ＮＩＴ判定部５ｅが保持しているＮＩＴを識別情報として取得し、これを保持する（ＳＡ４）。例えば、ＳＡ３においてＮＩＴ判定部５ｅがＮＩＴを保持した際、ＮＩＴ判定部５ｅは入出力Ｉ／Ｆ５ｇを介してＮＩＴを識別情報取得部９ａに出力する。一方、識別情報取得部９ａはＮＩＴ判定部５ｅからＮＩＴが出力されたか否かを監視しており、ＮＩＴ判定部５ｅから出力されたＮＩＴを受信した場合、当該出力されたＮＩＴを、放送用信号発生器９の内部に設けた図示しない記憶部に保持する。これにて設定処理が終了する。
【００４０】
（処理−中継処理）
次に、中継処理について説明する。図４は中継処理のフローチャートである。ここでは、ＰＡ７が切替部６を介してデジタルスケルチ５に接続されている状態をデフォルトとして中継処理が開始される場合を例として説明する。
【００４１】
ＲＦスケルチ３ａによる出力遮断制御が行われていない場合であって（ＳＢ１、Ｎｏ）、デジタルスケルチ５による出力遮断制御が行われていない場合（ＳＢ２、Ｎｏ）、ＯＲ回路１０からの出力はＯＦＦ出力であるため、切替部６は、ＰＡ７とデジタルスケルチ５とを接続している状態を維持する（図１（ａ）の状態）。
【００４２】
一方、ＲＦスケルチ３ａによる出力遮断制御が行われた場合（ＳＢ１、Ｙｅｓ）、又はデジタルスケルチ５による出力遮断制御が行われた場合（ＳＢ２、Ｙｅｓ）、ＯＲ回路１０からの出力がＯＮ出力となるため、切替部６は、ＰＡ７の接続先を放送用信号発生器９に切り替える（図１（ｂ）の状態）（ＳＢ３）。放送用信号発生器９は、例えば放送休止中である旨を示すテロップに、識別情報取得部９ａが予め取得したＮＩＴを多重して送信する（ＳＢ４）。また、放送用信号発生器９は、このようにテロップの送信を実行した旨を報知するための切替報知信号を、図示しない入出力Ｉ／Ｆを介して遠方監視装置に送信する（ＳＢ５）。この切替報知信号を受信した遠方監視装置では、当該切替報知信号を受信した旨が表示部に表示等されることで、監視者は、テロップ送信への切替が実行されたことを把握することができる。
【００４３】
以降、ＲＦスケルチ３ａ又はデジタルスケルチ５による出力遮断制御が解除されない間（ＳＢ６、Ｎｏ）、切替部６はＰＡ７と放送用信号発生器９とを接続している状態を維持し、放送用信号発生器９によるテロップの送信を継続させる（ＳＢ４）。
【００４４】
一方、出力遮断制御が解除された場合（ＳＢ６、Ｙｅｓ）、ＯＲ回路１０からの出力がＯＦＦ出力となるため、切替部６は、ＰＡ７の接続先をデジタルスケルチ５に切り替える（図１（ａ）の状態）（ＳＢ７）。また、放送用信号発生器９は、ＳＢ５と同様に、このように放送用信号の送信を再開した旨を報知するための切替報知信号を遠方監視装置に送信する（ＳＢ８）。その後、ＳＢ１に戻り、以降は同様に、ＲＦスケルチ３ａ又はデジタルスケルチ５による出力遮断制御が行われる毎に、テロップ送信を行う。
【００４５】
（実施の形態の効果）
このように実施の形態によれば、ＲＦスケルチ３ａ又はデジタルスケルチ５が放送用信号又は中間信号の出力遮断を行っている場合、放送用信号発生器９が所定の放送用信号を送信するので、放送休止中であることを視聴者に認識させることができる。
【００４６】
また、識別情報取得部９ａが取得した識別情報を所定の放送用信号に含めて送信するので、放送用信号の受信端末に設定されている識別情報と、当該受信端末が受信した放送用信号に多重されている識別情報とが一致している場合にのみ、当該受信した放送用信号を当該受信端末が出力可能である場合であっても、放送用信号発生器９が送信した所定の放送用信号を受信端末にて出力させることができる。
【００４７】
また、識別情報取得部９ａは、識別情報をデジタルスケルチ５から取得するので、放送用信号に多重された識別情報をデジタルスケルチ５を介して容易に取得することができる。
【００４８】
また、放送用信号発生器９は、ＲＦスケルチ３ａ又はデジタルスケルチ５の少なくともいずれか一方が放送用信号又は中間信号の出力遮断を行っている場合に所定の放送用信号を送信するので、放送休止中であることを確実に視聴者に認識させることができる。
【００４９】
また、放送用信号発生器９は、テロップ信号の送信を行った場合や、テロップ信号の送信から放送用信号の送信に復帰した場合には、当該送信を行った旨を報知するための信号を遠方監視装置に送信するので、この送信事実を外部の監視者に報知することができ、監視者は、放送用信号の出力状況を容易かつ確実に把握することができる。
【００５０】
〔III〕実施の形態に対する変形例
以上、実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５２】
（切替部及び放送用信号発生器について）
上述の実施の形態では、放送用中継システム１における独立した構成要素として切替部６及び放送用信号発生器９について説明したが、これらの切替部６と放送用信号発生器９との機能をデジタルスケルチ５に備えさせてもよい。すなわち、ＲＦスケルチ３ａ又はデジタルスケルチ５による出力遮断制御中である場合、デジタルスケルチ５の内部でテロップ等の所定の放送用信号を生成し、ＰＡ７に出力させてもよい。
【００５３】
（切替部について）
上述の実施の形態では、切替部６はＯＲ回路１０を介してＲＦスケルチ３ａ及びデジタルスケルチ５と接続され、ＯＲ回路１０の出力がＯＮ出力でない場合には、デジタルスケルチ５をＰＡ７に接続し、ＯＲ回路１０の出力がＯＮ出力である場合には、放送用信号発生器９をＰＡ７に接続すると説明したが、これと異なる構成とすることもできる。例えば、切替部６をＡＮＤ回路を介してＲＦスケルチ３ａ及びデジタルスケルチ５と接続し、当該ＡＮＤ回路の出力がＯＮ出力である場合、すなわち、ＲＦスケルチ３ａ及びデジタルスケルチ５の双方が出力遮断制御を行っている場合にのみ、切替部６が放送用信号発生器９をＰＡ７に接続するように構成することもできる。
【００５４】
また、切替部６とデジタルスケルチ５とを接続し、当該デジタルスケルチ５からの出力がＯＮ出力である場合、すなわちデジタルスケルチ５が出力遮断制御を行っている場合にのみ、ＰＡ７と放送用信号発生器９とを接続させることもできる。あるいは、切替部６とＲＦスケルチ３ａとを接続し、当該ＲＦスケルチ３ａからの出力がＯＮ出力である場合、すなわちＲＦスケルチ３ａが出力遮断制御を行っている場合にのみ、ＰＡ７と放送用信号発生器９とを接続させることもできる。
【００５５】
さらに、受信変換部３の他に、送信変換部４やＰＡ７がＲＦスケルチを備えている場合において、これら複数のＲＦスケルチ及びデジタルスケルチ５と切替部６とをＯＲ回路を介して接続し、当該ＯＲ回路からの出力がＯＮ出力である場合、すなわち複数のＲＦスケルチ又はデジタルスケルチ５の少なくとも一つが出力遮断制御を行っている場合に、ＰＡ７と放送用信号発生器９とを接続させることもできる。あるいは、複数のＲＦスケルチ及びデジタルスケルチ５と切替部６とをＡＮＤ回路を介して接続し、当該ＡＮＤ回路からの出力がＯＮ出力である場合、すなわち全てのＲＦスケルチ及びデジタルスケルチ５が出力遮断制御を行っている場合にのみ、ＰＡ７と放送用信号発生器９とを接続させることもできる。
【００５６】
（識別情報取得部について）
上述の実施の形態では、識別情報取得部９ａは設定処理においてデジタルスケルチ５から取得したＮＩＴを保持しているが、中継処理においてテロップを送信する際に、識別情報取得部９ａがデジタルスケルチ５からＮＩＴ設定情報を取得するように構成してもよい。
【００５７】
また、デジタルスケルチ５を介さずに識別情報取得部９ａが放送用信号からＮＩＴを直接取得するように構成してもよい。具体的には、送信変換部４から放送用信号の入力を受け付る入力端子、及び放送用信号に多重されたＮＩＴを取得するＮＩＴ取得部を識別情報取得部９ａに設けることにより、識別情報取得部９ａによってＮＩＴを取得させることができる。
【産業上の利用可能性】
【００５８】
この発明に係る放送用中継システムは、放送用中継システムに適用でき、特に放送休止中であることを視聴者に認識させることができる放送用中継システムに有用である。
【図面の簡単な説明】
【００５９】
【図１】放送用中継システムの構成を示すブロック図である。
【図２】図１のデジタルスケルチの構成を示すブロック図である。
【図３】設定処理のフローチャートである。
【図４】中継処理のフローチャートである。
【図５】従来の放送用中継局装置の構成を示したブロック図である。
【符号の説明】
【００６０】
１  放送用中継システム
２、１０１  受信アンテナ
３、１０２  受信変換部
３ａ  ＲＦスケルチ
４、１０３  送信変換部
５  デジタルスケルチ
５ａ  入力端子
５ｂ  出力端子
５ｃ  復調部
５ｄ  ＮＩＴ取得部
５ｅ  ＮＩＴ判定部
５ｆ  スケルチ制御部
５ｇ  入出力Ｉ／Ｆ
５ｈ  チャンネル表示器
５ｉ  チャンネル設定ＳＷ
５ｊ  同期表示灯
５ｋ  ＮＩＴ受信表示灯
５ｍ  ＮＩＴ設定ＳＷ
５ｎ  スケルチ表示灯
５ｐ  制御スイッチ
６  切替部
７、１０４  ＰＡ
８、１０５  送信アンテナ
９  放送用信号発生器
９ａ  識別情報取得部
１０  ＯＲ回路
１００  放送用中継局装置
１０２ａ、１０３ａ  スケルチ
【図１】
2010093344.tif 000003
【図２】
2010093344.tif 000004
【図３】
2010093344.tif 000005
【図４】
2010093344.tif 000006
【図５】
2010093344.tif 000007